(57)【要約】【課題】  植物育成用定植パネルを用いた栽培方法で、単位面積あたりの植物の定植数を増やして収穫量を増収でき、収益性を向上させるもの。【解決手段】植物の苗を定植する栽培床部材の下面側に介在される無孔性親水性フィルムと、該栽培床部材の上面側に、定植孔を定間隔に列条に設けた植物育成用定植パネルを配置して、該植物育成用定植パネルの上部をマルチフィルムで被覆した後で、前記植物育成用の定植孔を介して栽培床部材に植物の苗を定植して植物を列条に栽培する栽培ユニットを構成し、該栽培ユニットの二基を並列に近接させて植物を並列条に栽培することを特徴とするものである。これにより、単位面積あたりの植物の定植数を増やして収穫量を増収でき、植物一株あたりのハウス暖房用燃料費や固定費などの経費を削減できて収益性を向上させる利点がある。【選択図】図１１
2020018282.tif 000002
【特許請求の範囲】
【請求項１】
植物の苗を定植する栽培床部材の下面側に介在される無孔性親水性フィルムと、該栽培床部材の上面側に、定植孔を定間隔に列条に設けた植物育成用定植パネルを配置して、該植物育成用定植パネルの上部をマルチフィルムで被覆した後で、前記植物育成用の定植孔を介して栽培床部材に植物の苗を定植して植物を列条に栽培する栽培ユニットを構成し、該栽培ユニットの二基を並列に近接させて植物を並列条に栽培することを特徴とする植物育成用定植パネルを用いた栽培方法。
【請求項２】
無孔性親水性フィルムは、ナノサイズの無数の小さな孔が開いており、水と肥料のみを通過させ雑菌は通過させないように調整されており、該フィルムの上に植物の根を張り、該フィルムを通して必要な分だけ水分と栄養を吸収する構成にされていることを特徴とする請求項１に記載の植物育成用定植パネルを用いた栽培方法。
【請求項３】
栽培ユニットの二基を並列に近接させて並列条に栽培するに際して、植物の茎部を上方より誘引具で誘引するのに、下方より上方が広くなるＶ字状に指向させて栽培条間を拡げるように構成したことを特徴とする請求項１に記載の植物育成用定植パネルを用いた栽培方法。
【請求項４】
植物育成用定植パネルの中央側に穿設される定植孔を、植物育成用定植パネルの左右中央より片側に偏寄させて構成し、植物育成用定植パネルの二基を並列する際に、定植孔を外側位置にして条間を広く設定できるようにしたことを特徴とする請求項１に記載の植物育成用定植パネルを用いた栽培方法。
【請求項５】
植物育成用定植パネルの中央側に穿設される列条の定植孔に近接させて凸状のリブを列条方向に設けると共に定植孔の間隙部のリブ下面に列条の陥没溝を設け、該陥没溝に点滴チューブを配設し植物育成用定植パネルに締結固定したことを特徴とする請求項１に記載の植物育成用定植パネルを用いた栽培方法。
【発明の詳細な説明】
【技術分野】
【０００１】  本発明は、土壌などの植物栽培用床材の上に設置し、所定間隔で設けた定植孔に植物の苗を定植するための発泡スチロール製の植物育成用定植パネルを用いた栽培方法の技術分野に関するものである。
【背景技術】
【０００２】  従来、土壌などの植物栽培用床材の上に設置し、所定間隔で設けた定植孔にトマトなど植物の苗を定植するための発泡スチロール製の植物育成用定植パネルを用いた栽培方法は、例えば、特許文献１の植物栽培システムや特許文献２の植物栽培システムおよび植物栽培方法に示されるものに採用されているが、これらの植物栽培方法に実施されているものでは該植物育成用定植パネルを該植物栽培用床材の上に単列条にして植物栽培する形態で使用するのが一般的であった。
【先行技術文献】
【特許文献】
【０００３】
【特許文献１】特許第４１４２７２５号公報
【特許文献２】特開２０１４−１４３９２６号公報
【発明の概要】
【発明が解決しようとする課題】
【０００４】  上記のように、従来行われている土壌などの植物栽培用床材の上に設置し、所定間隔で設けた定植孔にトマトなどの植物苗を定植するための植物育成用定植パネルを用いた栽培方法は、植物栽培するときには、該植物育成用定植パネルを単列条に接続して植物栽培する形態が一般的である。
そのため、農業用ハウスを用いた栽培方式の場合に限られた面積の中で植物の栽培数が制約されて増産できないという課題があった。
【課題を解決するための手段】
【０００５】  本発明は、上記課題を解決するために、第一に、植物の苗を定植する栽培床部材の下面側に介在される無孔性親水性フィルムと、該栽培床部材の上面側に、定植孔を定間隔に列条に設けた植物育成用定植パネルを配置して、該植物育成用定植パネルの上部をマルチフィルムで被覆した後で、前記定植孔を介して栽培床部材に植物を定植して植物を列条に栽培する栽培ユニットを構成し、該栽培ユニットの二基を並列に近接させて植物を並列条に栽培することを特徴とする栽培方法にしたものである。これにより、単位面積あたりの栽培ユニットを増やす事が出来、植物の定植数が増えるので、その結果として収穫量が増え、収益性が向上する。
殊に、ビニールハウスや軽量鉄骨ハウスなどで構成される農業用ハウスを用いた栽培においては限られた栽培スペースの中で、従来行われていた単列方式の栽培方法より本発明の並列方式の栽培方法は植物の定植数を増やすことができるので、植物一株あたりのハウス暖房用燃料費などを削減できて収益性の向上に寄与できるなどの利点がある。【０００６】  第二に、上記第一の構成に付加して、無孔性親水性フィルムは、ナノサイズの無数の小さな孔が開いており、水と肥料のみを通過させ雑菌は通過させないように調整されており、該フィルムの上に植物の根を張り、該フィルムを通して必要な分だけ水分と栄養を吸収する構成にされていることを特徴とする栽培方法にしたものであり、無孔性親水性フィルムを用いた従来の栽培方法を踏襲しながら単位面積あたりの植物の定植数を増やすことができ、その結果として収穫量を増やすことができるので収益性が向上できる利点がある。【０００７】  第三に、上記第一の構成に付加して、栽培ユニットの二基を並列に近接させて並列条に栽培するに際して、植物の茎部を上方より誘引具で誘引するのに、下方より上方が広くなるＶ字状に指向させて栽培条間を拡げるように構成したことを特徴とする栽培方法にしたものである。これにより、植物の茎部下方は並列構成により条間が狭くなっているが、茎部の上方は栽培条間を拡げるように構成されているので、トマトなどの誘引を必要とする植物の栽培に必要な良好な採光性・通気性を保つことができて、定植した植物の光合成を促進でき病気の弊害も少なくして植物の栽培を円滑に遂行できるものである。【０００８】  第四に、上記第一の構成に付加して、植物育成用定植パネルの中央側に穿設される定植孔を、植物育成用定植パネルの左右中央より片側に偏寄させて構成し、植物育成用定植パネルの二基を並列する際に、定植孔を外側位置にして条間を広く設定できるようにしたことを特徴とする栽培方法にしたものである。これにより、栽培ユニットの二基を並列構成にすると定植した植物の栽培条間が狭くなりがちになる弊害を解消することができて、定植した植物の栽培を良好に遂行できてかつ単位面積あたりの植物の定植数を増やして収穫量を増収することが可能となり収益性が向上できる利点がある。【０００９】  第五に、上記第一の構成に付加して、植物育成用定植パネルの中央側に穿設される列条の定植孔に近接させて凸状のリブを列条方向に設けると共に定植孔の間隙部のリブ下面に列条の陥没溝を設け、該陥没溝に点滴チューブを配設し植物育成用定植パネルに締結固定したことを特徴とする栽培方法にしたものであり、点滴チューブの配設を位置ずれすることなく正確に設けることができて、植物の栽培に必要な水分や肥料分などの液体を点滴して灌水し栽培を良好に遂行できる利点がある。
【図面の簡単な説明】
【００１０】
【図１】本発明の第一実施態様の植物育成用定植パネルによる定植方法の概要を示す正面視の説明図である。
【図２】第一実施態様の植物育成用定植パネルによる定植方法での栽培状況を説明する上面視の斜視図である。
【図３】第一実施態様の植物育成用定植パネルによる栽培方法での栽培状況を要部を破断して説明する上面視の斜視図である。
【図４】第一実施態様の植物育成用定植パネルを示す上面斜視図である。
【図５】第一実施態様の植物育成用定植パネルを並列にした定植方法の概要を示す正面視の説明図である。
【図６】第一実施態様の植物育成用定植パネルを並列にした定植方法での栽培状況を説明する上面視の斜視図である。
【図７】第一実施態様の植物育成用定植パネルの栽培部と点滴チューブの配置を示す平面詳細図である。
【図８】第一実施態様の植物育成用定植パネルの栽培部と点滴チューブの配置を示す平面要部拡大図である。
【図９】第一実施態様の植物育成用定植パネルを並列にした栽培状況を示す正面視の説明図である。
【図１０】第二実施態様の植物育成用定植パネルを並列にした定植方法の概要を示す正面視の説明図である。
【図１１】第二実施態様の植物育成用定植パネルを並列にした定植方法を説明する上面視の斜視図である。
【図１２】第二実施態様の植物育成用定植パネルの上面斜視図である。
【図１３】第二実施態様の植物育成用定植パネルの栽培部の平面詳細図である。
【図１４】第二実施態様の植物育成用定植パネルの栽培部の平面要部拡大図である。
【図１５】第二実施態様の植物育成用定植パネルを並列にする状況を示す正面視の説明図である。
【図１６】第二実施態様の植物育成用定植パネルを並列にしマルチフィルムで被覆して植物の苗を列条に定植栽培する状況を示す正面視の説明図である。
【図１７】第二実施態様の植物育成用定植パネルを並列にしマルチフィルムで被覆して定植した植物を列条に栽培する状況を示す側面視の説明図である。
【図１８】第二実施態様の植物育成用定植パネルを並列にしマルチフィルムで被覆して定植した植物を列条に栽培する状況を示す正面視の説明図である。
【図１９】第二実施態様の植物育成用定植パネルを並列にしマルチフィルムで被覆して定植した植物を列条に栽培する状況を示す側面視の説明図である。
【図２０】第二実施態様の植物育成用定植パネルを同一向きに並列にした栽培状況を示す上面視の斜視図である。
【図２１】他の実施態様による植物育成用定植パネルの設置状況を示す正面斜視の説明図である。
【図２２】他の実施態様による植物育成用定植パネルの平面斜視図である。
【発明を実施するための形態】
【００１１】  本発明の構成を図面に示した一実施形態に基づいて説明する。
図１に、本発明の第一実施態様の植物育成用定植パネルによる定植方法の概要を示す。符号１は、ビニールハウスや軽量鉄骨ハウスなどで構成される農業用ハウスであり、該農業用ハウス１の内部に地面２若しくは架台（図１７に図示される架台２０）の上面に、植物育成用定植パネル３（後述する栽培ユニット１６に内在されている）を列条に設置する。そして、該植物育成用定植パネル３を介してトマトなどの植物４の苗を定植して植物を単列条に栽培する。図２に、第一実施態様の植物育成用定植パネルによる定植方法での栽培状況を示す。前記の植物育成用定植パネル３は発泡スチロール製などの発泡樹脂材で構成されており、横幅５５０ミリで長さ９００ミリの矩形状に形成されている。該植物育成用定植パネル３に、条間方向（横幅方向）の中央と左右に三列の定植孔５が長さ方向の株間間隙を一定にして多数穿設されている。図１及び図２の場合は、該植物育成用定植パネル３に、条間方向（横方向）の中央に位置する定植孔５の列を選択して、該中央位置の定植孔５に植物４の苗を定植する。また、植物育成用定植パネル３に穿設される列条の定植孔５に近接させて凸状のリブ６が列条方向に設けてある。
【００１２】  図３は、図４に示す第一実施態様の植物育成用定植パネル３（定植孔５は省略図示している）による栽培方法での栽培状況を要部を破断して説明するものである。地面２の上に防草シート７と止水シート８を重ねて敷き、該止水シート８の両側部にパイプフレームＰＦを配設して栽培ユニットの骨組みに構成する。該止水シート８の上に植物に肥料や水分を供給する下部点滴チューブ９を配置する。そしてその上に揚水布１０と無孔性親水性フィルム１１を敷く。該無孔性親水性フィルム１１は、ナノサイズの無数の小さな孔（図示せず）が開いており、揚水布１０が含んでいる下部点滴チューブ９からの水と肥料のみを通過させ雑菌は通過させないように調整されている。そして、前記無孔性親水性フィルム１１の上に植物の苗が定植されて育成させる栽培用床部材１２を敷設し、該栽培用床部材１２の上に植物育成用定植パネル３を置く。該植物育成用定植パネル３の外観概要は図４の上面斜視図に示される。該植物育成用定植パネル３の凸状のリブ６に沿わせて上部点滴チューブ１３を設ける。そしてこれらをマルチフィルム１４で被覆し、前記植物育成用定植パネル３に設けた定植孔５の上面相当箇所のマルチフィルム１４に切断用のカッターなどで部分的に移植孔１５を開設して、該移植孔１５と定植孔５を介して栽培用床部材１２にトマトなど植物４の苗を単列条に定植して栽培ユニット１６を構成する。なお、第一実施態様の説明では地面２の上に栽培ユニット１６を直置きに構成する方法とされているが、地面２の上に架台（図１７で図示される架台２０）を置いて、該架台の上に栽培ユニット１６を設置構成する方法にしても良いものである。
このようにして、植物４の苗を定植する栽培床部材１２の下面側に介在される無孔性親水性フィルム１１と、該栽培床部材１２の上面側に、定植孔５を定間隔に列条に設けた植物育成用定植パネル３を配置して、該植物育成用定植パネル３の上部をマルチフィルム１４で被覆した後で、前記定植孔５を介して栽培床部材１２に植物４を定植して植物４を単列条に栽培する栽培ユニット１６を構成するものである。
【００１３】  図５に、本発明の第一実施態様の植物育成用定植パネル３を内在した栽培ユニット１６を並列にした定植方法の概要を示す。ビニールハウスや軽量鉄骨ハウスなどで構成される農業用ハウス１の内部に地面２若しくは架台（図１７で図示される架台２０）の上面に、植物４を単列条に栽培する栽培ユニット１６の二基を並列に近接させて植物４を並列条に栽培する構成にされている。
図６に示すものは、前記図２、図４で説明したものと同様の植物育成用定植パネル３を使用したものを説明するもので栽培ユニット１６に内在されている。該植物育成用定植パネル３に、条間方向（横方向）の中央に位置する定植孔５の列を選択して、該中央位置の定植孔５に植物４の苗を定植する。そして、該植物育成用定植パネル３を内在する栽培ユニット１６の二基が並列に近接させてあり、植物を並列条に栽培するようにしてある。このように並列構成にすることにより、図１と図２に示すものは間口１０メートルの農業用ハウス１内に６列の栽培（６ベッド）であるのに比して、図５と図６に示すものは間口１０メートルの農業用ハウス１内に８列の栽培（８ベッド）にすることができる。それ故に、単位面積あたりの植物の定植数を増やすことができ、その結果として定植数を従来の１．３３倍にできてトマトなど植物果実の収穫量を増収できるので収益性が向上する。
以上のように、農業用ハウス１を用いた栽培においては限られた栽培スペースの中で、図１と図２に示す従来行われていた単列方式の栽培方法より、図５と図６に示す本発明の並列方式の栽培方法は植物の定植数を増やすことができるので、ハウス暖房用などの植物一株あたりの燃料費や固定費などの経費を削減できて収益性の向上に寄与できるなどの利点がある。
【００１４】  図７と図８には、第一実施態様の植物育成用定植パネルの栽培部と灌水用の点滴チューブの配置が示されている。植物育成用定植パネル３には多数の定植孔５が設けられており、該植物育成用定植パネル３の中央側に穿設される列条の定植孔５に近接させて凸状のリブ６が列条方向に設けてあり、隣接する定植孔５と定植孔５の間隙部のリブ６下面に、該リブ６に沿わせて列条に点在する陥没溝６Ａを凹条に形成して設け、該陥没溝６Ａに点滴チューブ１３を配設し、該点滴チューブ１３を定植孔５とリブ６に近接して設けた孔１３Ａに通した止めバンド１３Ｂを用いて締結固定し、点滴チューブ１３の配設を蛇行するなどの位置ずれすることなく直線状に正確に設けることができる。そして定植孔５の円周に環状の点滴案内用の傾斜凹部５Ａを設け、点滴チューブ１３に設けた多数の貫通孔１３Ｃから植物の栽培に必要な水分や肥料分などの液体を点滴し、点滴で落下した液体を陥没溝６Ａから点滴案内用の傾斜凹部５Ａに誘導して定植孔５を介して栽培用床部材１２に供給させ、植物４の栽培を良好に遂行できるものである。
図９は、第一実施態様の植物育成用定植パネルを内在した栽培ユニット１６の二基を並列にして、植物４を二列にして栽培する栽培状況を示す正面視の説明図である。
【００１５】  図１０は、図１１及び図１２に詳細を示す第二実施態様の植物育成用定植パネル１７を並列にした定植方法の概要を示す正面視の説明図である。
ビニールハウスや軽量鉄骨ハウスなどで構成される農業用ハウス１の内部に地面２若しくは架台（図１７で図示される架台２０）の上面に、植物育成用定植パネル１７を内在して植物４を単列条に栽培する栽培ユニット１８の二基を並列に近接させて植物４を複数列条に栽培する構成にされている。
植物育成用定植パネル１７は、図１１に示されるように条間方向の横幅が４５０ミリ、株間方向の長さが９００ミリの矩形状に形成されている。そして、植物育成用定植パネル１７の中央側に穿設される単列条の定植孔１７Ａを、植物育成用定植パネル１７の左右中央より片側に偏寄させて構成されている。本発明の形態では図１１の右側に配置する植物育成用定植パネル１７において、定植パネル１７の右側の外側端から２００ミリ、定植パネル１７の左側の外側端から２５０ミリにして中央位置２２５ミリより右側端側に２５ミリ偏寄させてある。植物育成用定植パネル１７の二基を並列する際に、定植孔１７Ａを外側位置になるようにして条間を５００ミリにして広く設定できるようにする。第二実施態様の植物育成用定植パネル１７の横幅は４５０ミリであり、前述の第一実施態様の植物育成用定植パネル３の横幅が５５０ミリであったものに比して幅狭に構成されている。
【００１６】  したがって、第二実施態様の植物育成用定植パネル１７を用いた栽培ユニット１８の二基を並列構成にすると定植した植物４の栽培条間が狭くなりがちになる弊害を上記の偏寄構成と定植パネル１７二基の組み合わせを創意工夫することにより解消することができる。
因みに、上記の並列構成の創意工夫により、第二実施態様の植物育成用定植パネル１７を用いた栽培ユニット１８の二基を並列構成にすると間口１０メートルの農業用ハウス１内に１０列の栽培（１０ベッド）が実現できて、図１と図２に示す従来行われていた単列方式の栽培方法のものが農業用ハウス１内に６列の栽培（６ベッド）であり、図５と図６に示す本発明の第一実施態様の並列方式の栽培方法が８列の栽培（８ベッド）であり、図１０、図１１に示す第二実施態様のものは、図１と図２に示す従来のものに比して１．６７倍になり、植物４の栽培本数を大幅に増やすことができ、条間は第一実施態様の並列方式の栽培方法と同様に広くして、採光性や通気性を良くして、定植した植物４の栽培を良好に遂行できてかつ単位面積あたりの植物の栽培数を増やすことが可能となるが故に収穫量を増収することができて収益性が向上できる利点がある。
以上のように、農業用ハウス１を用いた栽培においては限られた栽培スペースの中で、図１と図２に示す従来行われていた単列方式の栽培方法より、図５と図６並びに図１０と図１１に示す本発明の並列方式の栽培方法は植物の定植数を増やすことができるので、収穫量が増えて、植物一株あたりのハウス暖房用燃料費や固定費などの経費を削減できて収益性に向上に寄与できるなどの利点がある。
【００１７】  図１３と図１４には、第二実施態様の植物育成用定植パネルの栽培部と灌水用の点滴チューブの配置が示されている。植物育成用定植パネル１７には多数の定植孔１７Ａが設けられており、該植物育成用定植パネル１７の中央側に穿設される列条の定植孔１７Ａに近接させて凸状のリブ１７Ｂが列条方向に設けてあり、隣接する定植孔１７Ａと定植孔１７Ａの間隙部のリブ１７Ｂ下面に、該リブ１７Ｂに沿わせて列条の陥没溝１７Ｃを凹条に形成して設け、該陥没溝１７Ｃに点滴チューブ１３を配設し、該点滴チューブ１３を定植孔１７Ａとリブ１７Ｂに近接して設けた孔１７Ｅに止めバンド１３Ａを用いて止めて、点滴チューブ１３の配設を蛇行するなどの位置ずれすることなく直線状に正確に設けることができる。そして定植孔１７Ａの円周に環状の点滴案内用の傾斜凹部１７Ｄを設け、点滴チューブ１３に設けた貫通孔１３Ｂから植物の栽培に必要な水分や肥料分などの液体を点滴させることにより灌水し、点滴で落下した液体を陥没溝１７Ｃから点滴案内用の傾斜凹部１７Ｄに誘導して定植孔１７Ａに供給させ、植物４の栽培を良好に遂行できるものである。
【００１８】  図１５は、第二実施態様の植物育成用定植パネル１７を並列にする状況を示す正面視の説明図である。図１５では、前述の図３で説明した構成の栽培用床部材１２を敷設したものが左右に並列して示されており、この上に、図１１で説明した第二実施態様の植物育成用定植パネル１７を並列にする手順の途中段階のものが示されている。これらは爾後の手順により図３の形態にして植物を栽培するものである。
図１６は、第二実施態様の植物育成用定植パネル１７を並列にしマルチフィルム１４で被覆して後、該マルチフィルム１４に移植孔１５を開設して植物４の苗を列条に定植栽培する栽培ユニット１８の二基を架台２０上に並列にした状況を示す正面視の説明図である。
図１７は、栽培ユニット１８の二基を並列に構成したもので植物４が成長した状態を示す側面の斜視図である。栽培ユニット１８は地面２の上に設置された架台２０上に配置されている。このように架台２０上の栽培ベッド方式を用いると、栽培床面が高所になり栽培管理の作業がしやすくなる。また架台２０下部の空間部を有効利用して、農業用ハウス内に暖房用の温風を送風するダクトやその他栽培管理用の部材などを配置することができて便利である。
【００１９】  図１８は、第二実施態様の植物育成用定植パネル１７を内在する栽培ユニット１８の二基を並列にしマルチフィルム１４で被覆して定植した植物４を列条に栽培する状況を示す正面視の説明図である。
栽培ユニット１８の二基を並列に近接させて並列条に栽培するに際して、植物４の茎部を上方よりロープやひも等の誘引具１９で誘引するのに、下方より上方が広くなるＶ字状に指向させて栽培条間を拡げるように構成されているものである。これにより、植物４の茎部下方は並列構成により条間が狭くなっているが、茎部の上方は栽培条間を拡げるように構成されているので、植物栽培にとって良好な採光性・通気性を保つことができて、定植した植物４の光合成を促進でき病気の弊害も少なくして植物の栽培を円滑に遂行できるものである。なお、隣接する栽培ユニット１８の間は、作業者の作業管理用の歩行通路（地面２）となっており、管理作業に支障がないように通路幅が確保されている。
図１９は、図１８のものより更に植物４が生育した状況が示されており、植物４の茎部を上方より細ひも状のロープで構成される誘引具１９で吊り上げ誘引して、下方より上方が広くなるＶ字状に指向させて栽培条間を拡げるように構成されていることが明確に視認できるものである。
【００２０】  図２０は、第二実施態様の植物育成用定植パネル１８を同一向きに並列にした栽培状況を示す上面視の斜視図である。この場合は、栽培条間は４５０ミリに狭くなる。
図２１は、図２２に示す他の実施態様による植物育成用定植パネル２１の設置状況を示す正面斜視の説明図である。
これに示す他の実施態様による植物育成用定植パネル２１は、条間方向の横幅が６００ミリで株間方向の長さが９００ミリの矩形状であり多数の定植孔２２が三列設けてある。本発明の第一実施態様の植物育成用定植パネル３や第二実施態様の植物育成用定植パネル１７のものより横幅サイズが大きいものである。図２１には、該植物育成用定植パネル２１を単列状に敷設した栽培準備体制が示されているが、この植物育成用定植パネル２１の二基を用いて本発明のように並列栽培にすることも可能である。
【産業上の利用可能性】
【００２１】  本発明はトマトなど植物の栽培について説明したが、トマト以外の植物例えばレタス、ホウレンソウ、コマツナ、シュンギクなどの葉菜類の栽培や、キュウリ、ナス、トウガラシ、えんどう、ソラマメなどの果菜類の栽培にも本発明の並列栽培方法を利用することは可能である。
また、植物育成用定植パネルは、発泡スチロール製に限らずプラスチック製や合成樹脂製のものを用いても良い。該植物育成用定植パネルを用いて苗を定植する場合、定植孔が三列状の場合には一列状に単列に植えることを説明したが、定植孔を右左の交互にして千鳥状に植えるようにしても良い。
【符号の説明】
【００２１】１  農業用ハウス
３  植物育成用定植パネル
５  定植孔
４  植物
１１  無孔性親水性フィルム
１２  栽培用床部材
１４  マルチフィルム
１６  栽培ユニット
１７  第二実施態様の植物育成用定植パネル
１８  第二実施態様の栽培ユニット
【図１】
2020018282.tif 000003
【図２】
2020018282.tif 000004
【図３】
2020018282.tif 000005
【図４】
2020018282.tif 000006
【図５】
2020018282.tif 000007
【図６】
2020018282.tif 000008
【図７】
2020018282.tif 000009
【図８】
2020018282.tif 000010
【図９】
2020018282.tif 000011
【図１０】
2020018282.tif 000012
【図１１】
2020018282.tif 000013
【図１２】
2020018282.tif 000014
【図１３】
2020018282.tif 000015
【図１４】
2020018282.tif 000016
【図１５】
2020018282.tif 000017
【図１６】
2020018282.tif 000018
【図１７】
2020018282.tif 000019
【図１８】
2020018282.tif 000020
【図１９】
2020018282.tif 000021
【図２０】
2020018282.tif 000022
【図２１】
2020018282.tif 000023
【図２２】
2020018282.tif 000024